(57)【要約】【課題】充分な強度を有しつつ、角度調整が容易な角度調整セパレータの提供を目的とする。【解決手段】ネジ杆側第１連結具とセパレータシャフト側第２連結具とを備え、ネジ杆側第１連結具は、第１重なり部とネジ杆連結部とを有してネジ杆連結部にネジ杆を連結してあり、セパレータシャフト側第２連結具は、第２重なり部とセパレータシャフト連結部とを有してセパレータシャフト連結部にセパレータシャフトを連結してあり、第１重なり部と第２重なり部とは相互の支点部を中心に相互に回動自在に重なり、第１重なり部と第２重なり部との一方に角度決め凸部、他方に角度決め嵌合部を有していることを特徴とする角度調整セパレータとした。【選択図】  図１
2007016399.tif 000002
【特許請求の範囲】
【請求項１】
ネジ杆側第１連結具とセパレータシャフト側第２連結具とを備え、
ネジ杆側第１連結具は、第１重なり部とネジ杆連結部とを有してネジ杆連結部にネジ杆を連結してあり、
セパレータシャフト側第２連結具は、
第２重なり部とセパレータシャフト連結部とを有してセパレータシャフト連結部にセパレータシャフトを連結してあり、
第１重なり部と第２重なり部とは相互の支点部を中心に相互に回動自在に重なり、
第１重なり部と第２重なり部との一方に角度決め凸部、
他方に角度決め嵌合部を有していることを特徴とする角度調整セパレータ。
【請求項２】
間隔を保持する型枠の勾配に応じて選択使用できる複数の角度決め嵌合部を有していることを特徴とする請求項１記載の角度調整セパレータ。
【請求項３】
第１重なり部と第２重なり部とを角度調整した状態で相互に固定する固定手段を有していることを特徴とする請求項１又は請求項２に記載の角度調整セパレータ。
【請求項４】
ネジ杆側第１連結具とセパレータシャフト側第２連結具とを備え、
ネジ杆側第１連結具は、第１重なり部とネジ杆連結部とを有し、
セパレータシャフト側第２連結具は、
第２重なり部とセパレータシャフト連結部とを有し、
第１重なり部と第２重なり部とは相互の支点部を中心に相互に回動自在に重なり、
第１重なり部と第２重なり部との一方に角度決め凸部、
他方に角度決め嵌合部を有していることを特徴とする角度調整セパレータ用の連結具。
【請求項５】
間隔を保持する型枠の勾配に応じて選択使用できる複数の角度決め嵌合部を有していることを特徴とする請求項４記載の角度調整セパレータ用連結具。
【請求項６】
第１重なり部と第２重なり部とを角度調整した状態で相互に固定する固定手段を有していることを特徴とする請求項４又は請求項５に記載の角度調整セパレータ用連結具。
【発明の詳細な説明】
【技術分野】
【０００１】
本発明は、コンクリートの型枠用のセパレータに関し、特に勾配を有する型枠間に使用するのに適した角度調整セパレータに関する。
【背景技術】
【０００２】
コンクリートを打設するための型枠の間隔保持に用いるセパレータは、対向する型枠が平行であれば特に問題はないが、保持する型枠が非平行に対向している場合には、従来図５に示すように曲げ加工した金属棒１６１を用いた特注のセパレータ１１０を取り付けていた。
型枠の勾配には所定の基準があるものの、その種類が多く、種類毎に特注品の在庫を持つのは大変であり、手違いや破損等でこの専用のセパレータが施工中に不足してしまうと、作業停止して追加発注となるため作業効率上、又、コスト上問題であった。
また、逆に余った場合には特注であるため無駄になっていた。
登録実用新案第３０２３５６１号公報にはセパレータの折曲げ角度を調整可能とする技術を開示する。
しかし、セパレータの曲げ角度を目盛り合わせする作業が大変であるだけではなく、同公報図７に示すように、コーンアンカーボルトの軸中心線とセパ側軸中心線とのズレが大きく、コンクリート打設時の応力が円弧状の枠に集中するために、型枠の開きやねじれ発生の原因になりかねない。
【０００３】
【特許文献１】登録実用新案第３０２３５６１号公報
【発明の開示】
【発明が解決しようとする課題】
【０００４】
本発明は上記技術的課題に鑑みて、充分な強度を有しつつ、角度調整が容易な角度調整セパレータの提供を目的とする。
【課題を解決するための手段】
【０００５】
本発明の技術的要旨は、ネジ杆側第１連結具とセパレータシャフト側第２連結具とを備え、ネジ杆側第１連結具は、第１重なり部とネジ杆連結部とを有してネジ杆連結部にネジ杆を連結してあり、セパレータシャフト側第２連結具は、第２重なり部とセパレータシャフト連結部とを有してセパレータシャフト連結部にセパレータシャフトを連結してあり、第１重なり部と第２重なり部とは相互の支点部を中心に相互に回動自在に重なり、第１重なり部と第２重なり部との一方に角度決め凸部、他方に角度決め嵌合部を有していることを特徴とする角度調整セパレータ。
【０００６】
本発明に係る角度調整セパレータは、備えているネジ杆とセパレータシャフトの連結角度を、型枠の勾配基準に合わせた所定角度毎に嵌め合わせを用いて調整することで、勾配が様々に異なる非平行な型枠間にその間隔保持のため取り付け可能とするものである。
ネジ杆は、一端に雄ねじ部を有して他端をネジ杆連結部に固定的に連結するもので、セパレータシャフトは、少なくとも一端に型枠の挿通孔に嵌めこむための雄ねじ部を有し、他端は連結自在あるいは固定的にセパレータシャフト連結部に連結する棒で、ネジ杆と比較して長尺として、取り付ける型枠幅に対応した長さにするのが良い。
【０００７】
セパレータシャフトは、取り付ける型枠の幅に応じて複数種類が必要となることから、セパレータシャフト連結部に複数種類のセパレータシャフトを選択的に連結して用いるのが良いが、このセパレータシャフトを別部品として、請求項４に記載してある、ネジ杆側第１連結具とセパレータシャフト側第２連結具とを備え、ネジ杆側第１連結具は、第１重なり部とネジ杆連結部とを有し、セパレータシャフト側第２連結具は、第２重なり部とセパレータシャフト連結部とを有し、第１重なり部と第２重なり部とは相互の支点部を中心に相互に回動自在に重なり、第１重なり部と第２重なり部との一方に角度決め凸部、他方に角度決め嵌合部を有していることを特徴とする角度調整セパレータ用の連結具のセパレータシャフト連結部を通常用いられているストレートタイプのセパレータの一端を連結自在として、このセパレータシャフト連結部に通常用いられているストレートタイプのセパレータを型枠幅に応じて選択して連結すると、様々な型枠幅に対応しやすい。
【０００８】
この角度調整セパレータ、及び、角度調整セパレータ用の連結具における角度調整は、ネジ杆側第１連結具と、セパレータシャフト側第２連結具とを、支点部を中心に回転した上で角度決め凸部と角度決め嵌合部との嵌め合わせにより所定角度単位に重ね合わせれば良く、例えば角度決め嵌合部を所定角度毎に複数設けて、間隔を保持する型枠の勾配に応じて嵌合する角度決め嵌合部を選択する方法が考えられる。
【０００９】
このように、支点部を中心とした回転による角度調整構造とすることで、角度調整に伴うネジ杆の軸中心線と、セパレータシャフトの軸中心線のズレが非常に小さくなる。
これにより、コンクリート打設時の応力が局部的に集中しなくなり、ネジ杆とセパレータシャフト間の連結強度は高い。
角度調整セパレータは、第１重なり部と第２重なり部とを角度調整した状態で相互に固定する固定手段で、角度を固定した上で型枠間に取り付ける。
【発明の効果】
【００１０】
本発明に係る角度調整セパレータは、ネジ杆側第１連結具と、セパレータシャフト側第２連結具とを、相互の支点部を中心に相互に回動させて、互いの嵌め合わせで角度決めして所定の角度を形成させて、ネジ杆とセパレータシャフトを型枠間に取り付けることから、ネジ杆の軸中心線とセパレータシャフトの軸中心のズレが非常に小さく、コンクリート打設時の応力に対する強度を充分に備えながらも、従来のように目盛り合わせせずに非常に簡単に角度合わせが出来る。
【００１１】
セパレータシャフトを別部品とした角度調整セパレータ用の連結具に、例えば一般的に用いられているストレートタイプのセパレータを取り付けると、様々な幅の型枠に対しても、その型枠幅に合ったストレートのセパレータを選択することで簡単に対応出来る。
【発明を実施するための最良の形態】
【００１２】
図１（イ）は、本発明に関する角度調整セパレータ１０を示す。
角度調整セパレータ１０は、角度調整セパレータ用の連結具２０のセパレータシャフト連結部４６に一般的に用いられているストレートタイプのセパレータをそのまま流用したセパレータシャフト６０を連結して形成している。
図１（ロ）、図１（ハ）は角度調整セパレータ用の連結具２０部分を角度調整して角度調整セパレータ１０の形成角度を変更した状態を示す。
また、角度調整用セパレータ１０の斜視図を図２（イ）に、分解図を図２（ロ）に示す。
角度調整セパレータ用の連結具２０は、ネジ杆側第１連結具２０とセパレータシャフト側第２連結具４０を有し、第１連結具３０はそれぞれ片状の第１重なり部３１とネジ杆連結部３５で略Ｌ字状金具を形成し、セパレータシャフト側第２連結具４０はそれぞれ片状の第２重なり部４１とセパレータシャフト連結部４６で略Ｌ字状金具を形成している。
また、ネジ杆側第１連結具３０のネジ杆連結部３５にはネジ杆用孔３６を設けて、このネジ杆用孔にネジ杆３７を嵌合することで、立設状態でネジ杆３７をネジ杆連結部３５に取り付けている。
このネジ杆３７に対しては、ネジ杆側第１連結部３０に係止爪（図示省略）を設ける等してネジ杆用孔３６からの抜け止めにしても良い。
第２連結具４０の連結部４６は図２に示すように、先端に例えば折返し部４７を設け、この折返し部４７中央から連結部４６中央に至るトンネル状の切欠孔４８を設けて、セパレータシャフト６０を取り付けている。
セパレータシャフト６０は、この切欠孔４８に雄ねじ部６１ａを嵌め入れている。
そして、雄ねじ部６１ａに螺合している２つのナット（ダブルナット）６２ａ、６２ｂで切欠孔の縁４６ａ部分の連結部４６を挟持して、連結部４６からの抜け止めとしている。
このように、セパレータシャフト６０の雄ねじ部６１ａを切欠孔に嵌め入れてダブルナット６２ａ、６２ｂにより固定すると、例えば標準規格のストレートタイプのセパレータを型枠幅に応じて選択してセパレータシャフト６０として簡単に取り付けられ、また、長さの微調整を雄ねじ部６１ａ部分におけるナット６２ａ、６２ｂの位置を変えることで容易に行える。
ネジ杆３７の雄ねじ部３７ａの内側とセパレータシャフト６０の雄ねじ部６２ｂの内側には、金属製又は樹脂製等のカップ３８、６３を取り付けている。
このカップ３８、６３を型枠に対してあてがうことで、ネジ杆３７の雄ねじ部３７ａや、セパレータシャフト６０の雄ねじ部６１ｂを垂直に型枠の挿通孔に挿し込むことが出来る。
また、ネジ杆３７側は連結部３５を第１重なり部３１に対して垂直に設けると、カップ３８が無くても連結部３５を直接枠板に当ててネジ杆３７を枠板に対して垂直にできるので、このカップは必ずしも必要ではない。
【００１３】
図２（ロ）に示すように重なり部は、第１重なり部３１には支点部３２と、円弧状長穴３４と、複数の貫通孔である角度決め嵌合部３３ａ、３３ｂ、３３ｃ、３３ｄ、３３ｅ、３３ｆを支点部３２を中心として略円弧状にほぼ連なるように穿孔して形成している。
第２重なり部４１には、第１重なり部３１の支点部３２と嵌合する凸支点部４２と、第１重なり部３１の円弧状長穴３４を通した連結ボルト５０が螺合する雌ねじ部４３と、第１重なり部３１の角度決め嵌合部３３ａ、３３ｂ、３３ｃ、３３ｄ、３３ｅ、３３ｆのいずれかに嵌合する角度決め凸部４４を設けている。
図１、図２（イ）において角度調整セパレータ１０は、重なり部３１、４１は凸支点部４２を支点部３２に嵌合した回動支点部２２を支点として回動させて、角度決め凸部４４と角度決め嵌合部３３ｆでその回動角度決めを行い、所定の角度で重ね合わせている。
そして、例えば、連結ボルト５０と円弧状長穴３４と雌ねじ部からなる固定手段２１で重なり部３１、４１同士を重ね合わせた状態で連結固定している。
なお、第１連結具と第２連結具とを固定できればその固定手段は限定されない。
【００１４】
角度調整セパレータの角度調整方法について説明する。
図３（イ）に図１（イ）におけるＡ視図を示す。
この図３（イ）のように、重なり部３１、４１を重ね合わせた連結固定状態から連結ボルト５０を緩めて図３（ロ）のように重なり部３１、４１とを分離して角度決め凸部４４と角度決め嵌合部３３ｅの嵌合を解除する。
そして、図３（ハ）のように凸支点部４２を支点部３２と嵌合させ回動支点部２２とし、重なり部３１、４１同士を回動させ、連結ボルト５０を円弧状長穴３４に沿って移動させ、角度決め凸部４４を角度決め嵌合部の配置位置に沿って移動させる。
角度決め凸部４４は所定の角度決め嵌合部位置に合わせて、その角度決め嵌合部に嵌め込み、ボルト連結部を締結して重なり部同士を固定する。
例えば図１（ロ）においては、角度決め嵌合部３３ｆに角度決め凸部４４を嵌合し、図１（ハ）においては角度決め嵌合部３３ａに角度決め凸部４４を嵌合することで重なり部同士を所定の角度とし、連結固定する。
角度決め嵌合部は、重なり部３１、４１を互いに回動支点部２２を中心に回動させた時に角度決め凸部４４が回動する範囲に、角度決め凸部４４と嵌合することで重なり部３１、４１が所定の角度となるように、貫通孔を穿孔して形成している。
そして、角度決め嵌合部同士は隣接する角度決め嵌合部とほぼ連なって略円弧形状となっている。
所定の角度決め嵌合部に角度決め凸部を嵌合する際には、図３（ハ）に示すように固定手段例えば、連結ボルト（連結ネジ）５０を軽くゆるめることで再度自由に角度調整ができる。
角度決め嵌合部３３ａ、３３ｂ、３３ｃ、３３ｄ、３３ｅ、３３ｆは、回動支点部２２を中心とする角度がそれぞれ、順に分数勾配において例えば１／１０、２／１０、３／１０、４／１０、５／１０、６／１０、７／１０、８／１０、９／１０、１０／１０等となるように設定すればよいが、等角度に連続的に設ける必要はなく、角度決め嵌合部３３ｆのように隣接する角度決め嵌合部と連ならないものを設けても良い。
また、角度調整セパレータ１０の角度調整は、嵌め合わせにより角度決め出来れば良く、必ずしも図３（ハ）のように凸支点部４２と支点部３２を嵌合して回動支点部２２とし、連結具３０、４０同士を互いに回動支点部２２を中心に回動させて行う必要はない。
また、固定手段２１による重なり部の連結場所は、必ずしも図１のように回動支点部２２と角度決め嵌合部３３ａ、３３ｂ、３３ｃ、３３ｄ、３３ｅ、３３ｆ間に設ける必要は無く、例えば回動支点部２２を固定手段２１と角度決め嵌合部間に配設しても良い。
図１に示すように重なり部３１、４１同士は、回動支点部２２と、角度決め嵌合部の２点が定まることで、所定の角度で重なり合い、ネジ杆３７の雄ねじ部３７ａとセパレータシャフト６０の雄ねじ部６１ｂの角度を所定角度とする。
この角度調整は、図２（イ）に示すようにネジ杆連結部３５、角度調整のための回動支点部２２とを、比較的近い位置に設けることが出来るため、ネジ杆３７からネジ杆連結部３５、重なり部３１を経て回動支点部２２に至るまでに形成されるねじれ形状を小さく出来る。
そして、回動支点部２２を軸として重なり部同士の角度調整をすることからネジ杆３７軸中心線とセパレータシャフト６０軸中心線とのズレが少なく、枠板を保持する強度に優れている。
また、この角度調整は従来のように目盛り位置に合わせて行うのではなく、所定の角度決め嵌合部に角度決め凸部を嵌め込むだけであり非常に簡単に行える。
図４には更に強度向上を図るために、重なり部３１に補強ビード４５を形成した角度調整セパレータ１０ａの実施例を示す。
【図面の簡単な説明】
【００１５】
【図１】本発明に関する角度調整セパレータの実施例の平面図を示す。
【図２】（イ）は角度調整セパレータの斜視図を示し、（ロ）は分解図を示す。
【図３】（イ）はＡ視図を示し、（ロ）はボルトを緩めて重なり部を分離した状態を示す。
【図４】重なり部に補強ビートを設けた角度調整用セパレータの実施例を示す。
【図５】従来の曲げ型セパレータを示す。
【符号の説明】
【００１６】
１０、１０ａ  角度調整セパレータ
２０    角度調整セパレータ用の連結具
２１    固定手段
２２    回動支点部
３０    ネジ杆側第１連結具
３１    第１重なり部
３２    支点部
３３ａ、３３ｂ、３３ｃ、３３ｄ、３３ｅ、３３ｆ  角度決め嵌合部
３３ｇ  角度決め嵌合部縁部
３４    円弧状長穴
３５    ネジ杆連結部
３６    ネジ杆取付用孔
３７    ネジ杆
３７ａ  ネジ杆雄ねじ部
３７ｂ  ネジ杆係止鍔
３８    カップ
４０    セパレータシャフト側第２連結具
４１    第２重なり部
４２    凸支点部
４３    雌ねじ部
４４    角度決め凸部
４５    補強ビード
４６    セパレータシャフト連結部
４６ａ  切欠孔の縁
４７    セパレータシャフト側第２連結具先端の折返し部
４８    切欠孔
５０    連結ボルト
６０    セパレータシャフト
６１ａ、６１ｂ  セパレータ雄ねじ部
６２ａ、６２ｂ  ナット
６３    カップ
【図１】
2007016399.tif 000003
【図２】
2007016399.tif 000004
【図３】
2007016399.tif 000005
【図４】
2007016399.tif 000006
【図５】
2007016399.tif 000007